(57)【特許請求の範囲】
【請求項１】
遊技機前面に配置されている透明板の遊技盤面側に光透過性を有するタッチセンサーが配置された遊技機用不正行為検知装置であって、前記タッチセンサーは１対の導電性面を向かい合わせに配置し、該導電性面の間にスペーサーが挿入された構造であることを特徴とする遊技機用不正行為検知装置。
【請求項２】
請求項１記載のタッチセンサーにおいて、全光線透過率が５０％以上である遊技機用不正行為検知装置。
【請求項３】
請求項１又は２記載の光透過性のタッチセンサーが設置された透明板。
【請求項４】
請求項１又は２記載の遊技機用不正行為検知装置を配置した遊技機。
【発明の詳細な説明】
【技術分野】
【０００１】
本発明は、遊技機前面に配置されている透明板の遊技盤面側に、１対の導電性面を向かい合わせに配置し、該導電性面の間にスペーサーが挿入された構造であり、光透過性を有するタッチセンサーが配置された遊技機用不正行為検知装置に関するものである。
【背景技術】
【０００２】
パチンコ遊技機等に代表される遊技機は、発射された遊技球が遊技盤に配置された遊技釘や風車あるいは装飾部材などにより流下方向を変更させながら落下し、入賞口に遊技球を投入することを楽しむ遊技機である。
【０００３】
しかしながら、近年、パチンコ機などの遊技球を用いた遊技機に対して、磁石を用いて遊技球を操作し搾取する不正行為の被害が拡大している。用いられている遊技球が鉄を主成分とする磁性体であるので、遊技者が遊技機の前面より磁界を発生する永久磁石などにより遊技球を引き付け、さらに永久磁石を動かすことにより引き付けた遊技球を操作し、入賞口へと遊技球を投入するなどの不正行為である。
【０００４】
従来の装置としては、リードスイッチ型の検知装置や磁石センサーが知られている。リードスイッチ型の検知装置は遊技機の後背部に設置され、遊技機の前面ガラスに近づけられた磁石に対して動作する装置である。磁石センサーは、遊技機前面の２層保護ガラスの間に導電性フィルムシートを挿入し、磁石が近づけられた際に生じる微小な誘導起電力を検知するシステムが知られている（特許文献１及び２）。
【０００５】
また、２層保護ガラスの間に、透明な第一電極と磁性体を含む透明な第二電極を挿入し、遊技盤前面の磁石によって第二電極が吸引されると第一電極と接触し導通することで、近づけられた磁石を検知する方法が知られている（特許文献３）。
【先行技術文献】
【特許文献】
【０００６】
【特許文献１】特開２００３−８８６６５号公報
【特許文献２】特開平２−２４３１７９号公報
【特許文献３】特開昭６４−５８２８５号公報
【発明の概要】
【発明が解決しようとする課題】
【０００７】
従来の技術では、磁石が遊技機に近づくとリードスイッチ型の検知装置や磁石センサーが該磁石を検知するものであった。そのため、遊技球が遊技盤面にない状態にあっても不注意で磁石を近づけた場合にもセンサーが検知してしまうため、実際に遊技球が操作されたかについては、判別できなかった。
【０００８】
また、リードスイッチ型の検知装置は、遊技機の後背部に設置されるため、遊技機の前面ガラスから距離があるため、近づけられた磁石に対して確実に動作するとは限らず、また遊技機の遊技盤の部材に磁性体が使われていると磁路が乱され、感度が落ちる原因となる場合がある。
【０００９】
また、導電性フィルムを用い誘導起電力の発生を検知する方法では、微弱電流を検知する必要があるため、電気信号対ノイズの比率であるＳ／Ｎ比を高める増幅器など特別な装置や出来るだけ抵抗の低い導電性フィルムを用いる必要があった。
【００１０】
透明な第一電極と磁性体を含む透明な第二電極を用いる装置では、磁石を感度良く検知するためには磁性体を含む第二電極と第一電極とが十分な接触面積で接触し導通する必要がある。十分な接触面積を得るためには、遊技盤前面に近づけられた磁石が発生する磁場に引き寄せられる第二電極の面積を広く取るか、遊技盤前面に近づける磁石面の面積を広くする必要がある。しかしながら、第二電極の面積を広く取ると遊技者に対し電極部材が目立ってしまい、遊技機の意匠性に問題が生じる可能性がある。さらに近年では小型で強力な磁石が製造されているため、近づけられる磁石面の面積も狭くなっている。
【００１１】
本発明は、上記問題点に鑑みてなされたものであり、パチンコ遊技機の遊技中に遊技球を永久磁石などの磁界発生体により不正に操作、誘導することを検知するセンサーを提供することを技術的課題とする。
【課題を解決するための手段】
【００１２】
即ち、遊技機前面に配置されている透明板の遊技盤面側に、１対の導電性面を向かい合わせに配置し、該導電性面の間にスペーサーが挿入された構造であり、光透過性を有するタッチセンサーが配置された遊技機用不正行為検知装置である（本発明１）。
【００１３】
また本発明は、前記で用いられているタッチセンサーの全光線透過率が５０％以上である遊技機用不正行為検知装置である（本発明２）。
【００１４】
また本発明は、前記光透過性のタッチセンサーが設置された透明板である（本発明３）。
【００１５】
また本発明は、前記遊技機用不正行為検知装置を配置した遊技機である（本発明４）。
【発明の効果】
【００１６】
本発明に係る不正行為検知装置は、遊技機前面に配置されている透明板の遊技盤面側に、１対の導電性面を向かい合わせに配置し該導電性面の間にスペーサーが挿入された構造であり、光透過性を有するタッチセンサーが配置された遊技機用不正行為検知装置において、遊技者が磁界を発生する永久磁石などで遊技球をひきつけると、タッチセンサー部位に遊技球が磁界により押し付けられ、該タッチセンサーに生じる電気的信号をモニターすることにより、「永久磁石などの磁界を発生させる物体」および「前記物体から発生した磁界により遊技球を操作した状態」の両方を一度に検知することができるので、遊技機の磁石による不正行為検知用装置として好適である。
【図面の簡単な説明】
【００１７】
【図１】図１は、タッチセンサー１に関する図である。
【図２】図２は、パチンコ遊技機における正面図Ａ及び断面図Ｂである。
【発明を実施するための形態】
【００１８】
本発明の構成をより詳しく説明すれば次の通りである。
【００１９】
本発明においては、パチンコ遊技機などの前面に通常取り付けられている透明板の遊技盤側に、光透過性のタッチセンサーを設置する。遊技盤に配置されている装飾部材の視認性が悪くならないように、前記タッチセンサーの光透過性としては、好ましくは全光線透過率が５０％以上である。さらに好ましくは６０％以上である。全光線透過率が５０％未満では、十分な視認性を得るために遊技盤の装飾部材を明るくするか、光量を増やす必要が生じるため好ましくない。
【００２０】
本発明における遊技機全面に配置されている透明板は、光透過性があれば特に限定されない。例えば、ガラス板や透明樹脂基板が好ましい。透明樹脂基板としては、ポリエチレンテレフタレート樹脂基板、塩化ビニル樹脂基板、ポリカーボネート樹脂基板、アクリル樹脂基板などが挙げられる。
【００２１】
本発明におけるタッチセンサーは、図１に示すとおり、１対の導電性面１を向かい合わせに配置し該導電性面の間にスペーサー３が挿入された構造が好ましい。市販されている光透過性のタッチセンサーを用いても良い。
【００２２】
また、本発明は、遊技球がタッチセンサーを押し付けることで、タッチセンサーから取り出される電流値あるいは抵抗値などの電気的信号に変化が生じるものであれば、タッチセンサーの材料及び構造は特に限定されない。例えば、ガラスや透明樹脂などの透明基板上にＩＴＯ（インジウムと錫の酸化物）薄膜やＺｎＯの薄膜を積層した透明導電性基板２枚を導電性面が対向するように配置し、導電性面の間にスペーサーを設けた構造であっても良い。
【００２３】
または、特表２００５−５３０００５号公報のようにガラスや透明樹脂などの透明基板上に銀微粒子より構成される網目状構造を有した透明導電性膜を積層した透明導電性基板２枚を、導電性面が対向するように配置し、導電性面の間にスペーサーを設けた構造であっても良い。または、遊技機の透明板に直接、片方の導電性面を形成させても良い。
【００２４】
または特表２００５−５３０００５号公報のようにガラスや透明樹脂などの透明基板上に銀微粒子より構成される網目状構造を積層させた後、前記銀微粒子より構成される網目状構造の導電性面を粘着剤や接着剤を用いた転写法により透明板に積層させても良い。または、透明導電性基板としては、一般的に市販されている酸化インジウム錫をスパッタリング法により蒸着した透明導電性フィルム（商品名：ハイビーム、東レ株式会社製）などを用いてもよい。
【００２５】
また、本発明は、遊技機に配置され遊技球がタッチセンサーに押し付けられた場合とそうでない場合で得られる電気的信号に差が出るように最適化されていれば、スペーサーの材料や構造、厚み、柔軟性は特に限定されない。
【００２６】
各導電性面に引き出し電極４を形成する。引き出し線は、常法に従って形成すればよい。
【００２７】
また、本発明は、タッチセンサーに遊技球が押し付けられた場合に得られる電気信号としては、例えば予め、タッチセンサーの導電性面同士が接触し、電流が通電する回路を組んでおき、得られる電流値または抵抗値をモニターしても良い。
【００２８】
本発明においては、図２に示すように、遊技者が遊技機の前面より磁界を発生する永久磁石８などにより遊技球７をひきつけ、遊技球がタッチセンサーに押し付けられた場合、タッチセンサーの導電性面同士が接触し電流が流れ、電流値あるいは抵抗値の変化を確認することができる。
【００２９】
本発明においては、偶然に遊技球がタッチセンサーに接触した場合と、意図的な操作によって遊技球がタッチセンサーに押し付けられた場合とを区別できるように、検出する特性（電流値、変化量、時間など）をあらかじめ確認して、不正な操作による場合のみ検出できるようにすればよい。
【００３０】
本発明においては、タッチセンサーを遊技機の透明板全面または入賞口付近などの部分的に設置する場合のいずれであってもよい。
【実施例】
【００３１】
＜タッチセンサー１の作製＞
特表２００５−５３０００５号公報を参考にして、ＰＥＴ（ポリエチレンテレフタレート）樹脂基板２上に銀微粒子で構成された網目状構造を有する透明導電性膜積層基板を作製した。表面抵抗値は１０Ω／□であり、全光線透過率は８５％であった。透明導電性膜積層基板（８０ｍｍ×５０ｍｍ）２部を、導電性面を対向させる様に配置した。透明導電性膜積層基板の隙間にスペーサーとして１００μｍの厚みのスペーサー（ＰＥＴ樹脂）３を粘着剤を用いて透明導電性膜積層基板に固定した。各透明導電性膜積層基板より導電性シールを用いて引き出し電極４とし、タッチセンサー１を作製した（図１）。得られたタッチセンサー１の全光透過率は７０％であった。
なお、透明導電性膜の表面抵抗値は、ＪＩＳ−Ｋ−７１９４に準拠した形で、ロレスタ−ＧＰ（株式会社ダイアインスツルメンツ製、型番：ＭＣＰ−Ｔ６１０）において直列４探針プローブ（ＡＳＰ）を用いて４端子４探針法を用いて測定した。また、透明導電性膜の全光線透過率は、ヘイズメーター（型番：ＮＤＨ−２０００、日本電飾工業株式会社製）を用いてＪＩＳ  Ｋ−７１０５に準拠して測定した。
【００３２】
＜タッチセンサー２の作製＞
タッチセンサー１で用いた透明導電性膜積層基板の２部のうちの１部を、導電性ポリマーを積層させた透明導電性膜積層基板を用いて作製した以外は、タッチセンサー１の作製と同じ方法でタッチセンサー２を作製した。導電性ポリマーを積層させた透明導電性膜積層基板は、導電性ポリマー（エノコートＨＣ−２００、（有）ケミトレック社製）をＰＥＴ樹脂基板上バーコーターで塗布し、１３０℃で５分間乾燥させ作製した。得られた透明導電性膜積層基板の表面抵抗は２００Ω／□、全光線透過率は７５％であり、得られたタッチセンサー２の全光線透過率は７５％であった。
【００３３】
＜遊技機用不正行為検知装置の遊技機への設置と磁界による遊技球の吸引＞
パチンコ機のガラス板の遊技盤面側に前記タッチセンサー１を粘着剤にて固定した。次に、当該ガラス板をパチンコ機（遊技盤）の前面にタッチセンサーが遊技盤面側となるように設置し、前記タッチセンサー１から出ている各引き出し電極を抵抗測定モードに設定したテスターに接続した。接続直後は導通がないためテスターで測定した抵抗値は無限大であった。次に永久磁石８をパチンコ機の前面であり、且つ、ガラス板に配置したタッチセンサー１の検知領域に配置し、遊技球をパチンコ機上部から落下させた。落下中の遊技球が永久磁石８によりひき付けられると、テスターにおいて電流の導通をしめし、永久磁石８により遊技球が操作されたことを検知した（図２）。また、パチンコ機の前面から遊技盤を見た場合、遊技盤（遊技釘、入賞口等）及び遊技球が十分視認できることが確認できた。
【００３４】
＜タッチセンサー２のパチンコ機への設置と磁石による遊技球の吸引＞
パチンコ機のガラス板の遊技盤面側に前記タッチセンサー２を粘着剤にて固定した。次に、当該ガラス板をパチンコ機装置（遊技盤）の前面にタッチセンサーが遊技盤面側となるように設置し、前記タッチセンサー２から出ている各引き出し電極を抵抗測定モードに設定したテスターに接続した。接続直後は導通がないためテスターで測定した抵抗値は無限大であった。
次に、永久磁石をパチンコ機の前面、且つ、ガラス板に配置したタッチセンサー２の検知領域に配置し、遊技球をパチンコ機上部から落下させた。落下中の遊技球が永久磁石の磁界により吸引され、ガラス板を通じて遊技球が永久磁石にひき付けられると、テスターが電流の導通をしめした。また、パチンコ機の前面から遊技盤を見た場合、遊技盤（遊技釘、入賞口等）及び遊技球が十分視認できることが確認できた。
【産業上の利用可能性】
【００３５】
本発明に係る遊技機用不正行為検知装置は、パチンコ遊技機の遊技中に遊技球を永久磁石などの磁界発生体により不正に操作、誘導することを検知することを可能である。
【符号の説明】
【００３６】
１  導電性面
２  ＰＥＴ樹脂基板
３  スペーサー（ＰＥＴ樹脂）
４  引き出し電極
５  遊技釘
６  入賞口
７  遊技球
８  磁石
９  タッチセンサー領域
１０  遊技盤
１１  タッチセンサー
１２  遊技球の落下状態
【図１】
0005382332.tif 000002
【図２】
0005382332.tif 000003